(57)【要約】  雌コネクタ１００は、プラグ部２０１及びカラー部２０２を有するＩＳＯ８０３６９−６に準拠した雄コネクタ２００のプラグ部２０１が挿入される内筒部１０１と、内筒部１０１の周りにカラー部２０２の少なくとも一部が挿入されるカラー部挿入凹部１０３を形成する外筒部１０２とを備えている。
2020080457.tif 000002
【特許請求の範囲】
【請求項１】
プラグ部及びカラー部を有するＩＳＯ８０３６９−６に準拠した雄コネクタの前記プラグ部が挿入される内筒部と、
前記内筒部の周りに前記カラー部の少なくとも一部が挿入されるカラー部挿入凹部を形成する外筒部とを備えている、雌コネクタ。
【請求項２】
前記雄コネクタのプラグ部が前記内筒部に挿入されて係合した状態において、前記雄コネクタの前記カラー部は１．７ｍｍ以上の部分が前記カラー部挿入凹部に挿入されている、請求項１に記載の雌コネクタ。
【請求項３】
前記内筒部と前記外筒部は、一体に成形されている、請求項１又は２に記載の雌コネクタ。
【請求項４】
前記内筒部は、内筒部係合部を有し、
前記外筒部は、前記内筒部係合部と係合する外筒部係合部を有し、
前記外筒部は、前記内筒部係合部に前記外筒部係合部が係合して、前記内筒部に取り付けられている、請求項１又は２に記載の雌コネクタ。
【請求項５】
前記外筒部は、側壁の一部が切りかかれた側面開口部を有し、
前記外筒部は、前記側面開口部側から前記内筒部に取り付ける、請求項４に記載の雌コネクタ。
【請求項６】
前記外筒部係合部は、前記内筒部係合部を乗り越えて、前記内筒部の前記内筒部係合部よりも基部側の部分と当接する、請求項４に記載の雌コネクタ。
【請求項７】
前記外筒部は、側壁の一部が切り欠かれた側面開口部を有する主筒部と、前記側面開口部を補完するように前記主筒部と連結された連結部とを有し、
外筒部係合部は、前記主筒部に設けられた第１の部分と、前記連結部に設けられた第２の部分とを有し、
前記第１の部分を前記内筒部係合部と係合させた状態で、前記連結部を前記主筒部に連結することにより、前記第１の部分と前記第２の部分とが前記内筒部係合部と係合する、請求項４に記載の雌コネクタ。
【請求項８】
前記内筒部は、可撓性チューブに隣接して配置され、
前記連結部は、側壁の外表面が前記可撓性チューブと緩衝しないように窪んでいる、請求項７に記載の雌コネクタ。
【請求項９】
前記外筒部は、前記内筒部を覆うキャップを有する、請求項１〜８のいずれか１項に記載の雌コネクタ。
【請求項１０】
神経麻酔分野における誤接続防止コネクタに関するＩＳＯ規格に準拠した、プラグ部及びカラー部を有し、前記プラグ部が前記カラー部から突出していない雄コネクタの前記プラグ部が挿入される内筒部と、
前記内筒部の周りに前記カラー部の少なくとも一部が挿入されるカラー部挿入凹部を形成する外筒部とを備えている、雌コネクタ。
【発明の詳細な説明】
【技術分野】
【０００１】
本開示は、雌コネクタに関し、特に神経麻酔用途に用いられる雌コネクタに関する。
【背景技術】
【０００２】
医療分野においては、チューブ等を接続するためのコネクタが多用されている。従来、ルアーコネクタと呼ばれる標準規格のコネクタが使用されてきたが、全てが同じ規格のコネクタであると、血液の体外循環回路に経腸栄養用の回路を誤って接続するような事故が生じるおそれがある。このため、誤接続の防止を図るために分野毎にコネクタを異なる形状とする新たな国際規格が定められた（例えば、非特許文献１を参照。）。【０００３】
例えば、経腸栄養の分野においては国際標準化機構による規格ＩＳＯ８０３６９−３に準拠したコネクタを用いることが求められている。また、神経麻酔の分野においては、ＩＳＯ８０３６９−６に準拠したコネクタを用いることが求められている。【０００４】
このような新たな規格に準拠したコネクタを用いた機器の開発も進められている。
【先行技術文献】
【非特許文献】
【０００５】
【非特許文献１】ＩＳＯ８０３６９−６規格文書
【発明の概要】
【発明が解決しようとする課題】
【０００６】
しかしながら、新しい規格のコネクタは、従来のコネクタと形状が異なるため、従来と同じ操作方法では、不具合が生じる場合がある。例えば、ＩＳＯ８０３６９−６に準拠したオスコネクタは、５％のテーパ角を有するプラグ部と、プラグ部を囲むカラー部とを備えている。カラー部は、プラグ部と同心に配置されプラグ部を囲む筒状である。カラー部の雌コネクタ側の端部の位置は、±０．４ｍｍの範囲でプラグ部の端部の位置と揃えることがＩＳＯ規格において定められており、プラグ部はカラー部から実質的に突出していない。このため、ＩＳＯ８０３６９−６に準拠した雌コネクタの場合、カラー部が干渉しないようにするため、プラグ部がカラー部から突出した従来の規格のコネクタの場合よりも、内筒部の長さが長くなる。また、プラグ部とカラー部との間隔も規格により定められているため、内筒部の肉厚を厚くすることは困難である。ＩＳＯ８０３６９−６に準拠したコネクタは、曲げ弾性率又は引っ張り弾性率が９５０ＭＰａを超える強度が強い材料でつくるよう要求されてはいるが、従来の規格のコネクタよりも内筒部が脆弱になり、構造的に破損し易い。【０００７】
本開示の課題は、新たな規格に対応し、且つ従来の操作方法を用いる場合にも不具合が生じにくい雌コネクタを実現し、使用者の負担を低減することである。
【課題を解決するための手段】
【０００８】
本開示の雌コネクタの第１の態様は、プラグ部及びカラー部を有するＩＳＯ８０３６９−６に準拠した雄コネクタのプラグ部が挿入される内筒部と、内筒部の周りにカラー部の少なくとも一部が挿入されるカラー部挿入凹部を形成する外筒部とを備えている。【０００９】
雌コネクタの第１態様は、外筒部が雄コネクタのカラー部をガイドし、雄コネクタの軸をずれにくくすることができるので、内筒部の破損を生じにくくして、信頼性を向上させることができる。【００１０】
雌コネクタの第１の態様において、雄コネクタのプラグ部が内筒部に挿入されて係合した状態において、雄コネクタのカラー部は１．７ｍｍ以上の部分がカラー部挿入凹部に挿入されているようにすることができる。このような構成とすることにより、内筒部の破損をさらに生じにくくすることができる。【００１１】
雌コネクタの第１の態様において、内筒部と外筒部は、一体に成形されている構成とすることができる。このような構成とすることにより成形が容易となる。【００１２】
雌コネクタの第１の態様において、内筒部は、内筒部係合部を有し、外筒部は、内筒部係合部と係合する外筒部係合部を有し、外筒部は、内筒部係合部に外筒部係合部が係合して、内筒部に取り付けられている構成とすることもできる。このような構成とすれば、必要に応じて外筒部を容易に設けることが可能となる。【００１３】
この場合において、外筒部は、中心角が９０°以上、１２０°未満の扇形状の部分が切りかかれた側面開口部を有し、外筒部は、側面開口部側から内筒部に取り付ける構成とすることができる。また、外筒部係合部は、内筒部係合部を乗り越えて、内筒部の内筒部係合部よりも基部側の部分と当接する構成とすることができる。このような構成とすることにより、外筒部を容易に取り付けることができる。【００１４】
雌コネクタの第１の態様において、外筒部は、側壁の一部が切り欠かれた側面開口部を有する主筒部と、側面開口部を補完するように主筒部と連結された連結部とを有し、外筒部係合部は、主筒部に設けられた第１の部分と、連結部に設けられた第２の部分とを有し、第１の部分を内筒部係合部と係合させた状態で、連結部を主筒部に連結することにより、第１の部分と第２の部分とが内筒部係合部と係合するようにできる。このような構成とすることにより、外筒部を容易に取り付けることが可能になると共に、外筒部をぐらつきにくくすることができ、内筒部の破損をより生じにくくすることができる。【００１５】
この場合において、内筒部は、可撓性チューブに隣接して配置され、連結部は、側壁の外表面が可撓性チューブと緩衝しないように窪んでいてもよい。このような構成とすることにより、内筒部と隣接して配置されるチューブに損傷やキンクが発生する事態を生じにくくすることができる。【００１６】
雌コネクタの第１の態様において、外筒部は、前記内筒部を覆うキャップを有していてもよい。このような構成とすることにより、内筒部の汚染等を生じにくくすることができる。【００１７】
本開示の雌コネクタの第２の態様は、神経麻酔分野における誤接続防止コネクタに関するＩＳＯ規格に準拠した、プラグ部及びカラー部を有し、プラグ部がカラー部から突出していない雄コネクタのプラグ部が挿入される内筒部と、内筒部の周りにカラー部の少なくとも一部が挿入されるカラー部挿入凹部を形成する外筒部とを備えている。
【発明の効果】
【００１８】
本開示の雌コネクタによれば、新たな規格の下での不具合を防止し、使用者の負担を低減することができる。
【図面の簡単な説明】
【００１９】
【図１】一実施形態に係る雌コネクタを示す断面図である。
【図２】第１変形例に係る雌コネクタを示す断面図である。
【図３】第２変形例に係る雌コネクタを示す断面図である。
【図４】第２変形例に係る雌コネクタの外筒部を示す斜視図である。
【図５】第３変形例に係る雌コネクタの外筒部を示す斜視図である。
【図６】第４変形例に係る雌コネクタを示す断面図である。
【図７】メスコネクタを備えたバルーンポンプを示す模式図である。
【図８】第５変形例に係る雌コネクタを示す断面図である。
【図９】第５変形例に係る雌コネクタを示す斜視図である。
【図１０】第５変形例に係る雌コネクタの保護部を示す平面図である。
【図１１】第６変形例に係る雌コネクタの主筒部を示す斜視図である。
【図１２】第６変形例に係る雌コネクタの連結部を示す斜視図である。
【図１３】第６変形例に係る雌コネクタの保護部を示す斜視図である。
【図１４】第６変形例に係る雌コネクタを示す断面図である。
【発明を実施するための形態】
【００２０】
図１に示すように、本実施形態の雌コネクタ１００は、基部１０４から突出して設けられた内筒部１０１と、内筒部１０１の周りに設けられた外筒部１０２とを備えている。内筒部１０１は、雄コネクタ２００のプラグ部２０１が挿入され液密に嵌合する。外筒部１０２は、内筒部１０１との間に雄コネクタ２００のカラー部２０２が挿入されるカラー部挿入凹部１０３を形成する。
【００２１】
雄コネクタ２００は、神経麻酔分野における相互接続防止コネクタに関する国際規格であるＩＳＯ８０３６９−６に準拠しており、５％のテーパ角を有するプラグ部２０１と、プラグ部２０１を囲むカラー部とを備えている。カラー部２０２は、プラグ部２０１と同心に配置されプラグ部２０１を囲む筒状である。カラー部２０２の雌コネクタ１００側の端部の位置は、±０．４ｍｍの範囲でプラグ部２０１の端部の位置と揃えることがＩＳＯ規格において定められており、プラグ部２０１はカラー部２０２から実質的に突出していない。このため、ＩＳＯ８０３６９−６に準拠した雌コネクタの場合、カラー部が干渉しないようにするため、プラグ部がカラー部から突出した従来の規格のコネクタの場合よりも、内筒部の長さが長くなる。また、プラグ部とカラー部との間隔も規格により定められているため、内筒部の肉厚を厚くすることは困難であり、内筒部はカラー部よりも肉薄となる。このため、ＩＳＯ８０３６９−６に準拠したコネクタは、従来の規格のコネクタよりも内筒部が脆弱になり、構造的に破損し易くなる。
【００２２】
本実施形態の雌コネクタ１００は、カラー部挿入凹部１０３を形成する外筒部１０２を有している。外筒部１０２を設けることにより、外筒部１０２は、内筒部とプラグが係合状態において、内側にカラー部２０２の一部を近接状態又は当接状態で収容する。このような外筒部１０２を設けることによりカラー部２０２をガイドして、雄コネクタ２００の軸が、雌コネクタ１００の軸に対して傾く角度を小さく抑えることが可能となる。また、軸が傾いた際にカラー部２０２が外筒部１０２と接するため、内筒部１０１に加わる力を分散させることができる。このため、内筒部１０１が破損するおそれを大幅に低減することができる。なお、ここでいう近接状態とは、カラー部２０１の外表面と外筒部１０２の内表面との間にわずかな隙間があることを意味するが、好ましくは２．０ｍｍ以下、より好ましくは０．６５ｍｍ以下の隙間があることを意味する。
【００２３】
雌コネクタ１００に雄コネクタ２００が接続されると、カラー部挿入凹部１０３内にＩＳＯ８０３６９−６に準拠したカラー部２０２の少なくとも一部が位置する。内筒部１０１とプラグ部２０１とが当接しシールした状態におけるカラー部挿入凹部１０３内へのカラー部２０２の挿入深さＤは、折れ防止性を向上させる観点から好ましくは１．５ｍｍ以上、より好ましくは１．７ｍｍ以上である。折れ防止性を向上させる観点からは、挿入深さＤは長い方が好ましく、挿入深さＤは内筒部１０１と外筒部１０２の間の距離より長い方が好ましく、外筒部１０２は内筒部１０１の二分の一以上長い方が好ましい。このためカラー部２０２の全体又はほぼ全体が挿入されるようにすることもできる。一方、カラー部２０２の挿入を容易にする観点からカラー部２０２の一部のみが挿入凹部１０３に挿入される構成とすることもできる。外筒部１０２の基部１０４からの長さＬ２は、内筒部１０１の長さＬ１よりも小さくすることができるが、外筒部１０２がカラー部２０２のほぼ全体を覆うようにすることも可能であり、外筒部１０２の基部１０４からの長さＬ２を内筒部１０１の長さＬ１と同等以上としてもよい。
【００２４】
また、ＩＳＯ８０３６９−６に準拠する場合、カラー部２０２を挿入可能にすると共に、カラー部２０２をガイドして、雌コネクタ１００の軸に対して傾く角度を小さく抑える観点から、外筒部１０２の内径は、好ましくは８．８５ｍｍ以上、より好ましくは１１．５ｍｍ以上、好ましくは１３．５ｍｍ以下、より好ましくは１２．８ｍｍ以下である。
【００２５】
図１においては、外筒部１０２が、雌コネクタ１００の基部１０４から突出する構成を示したが、図２に示す第１変形例のように、雌コネクタ１００の側面全体が外筒部１０２Ａとなる構成とすることもできる。
【００２６】
内筒部と外筒部とは樹脂による一体成形品とすることができる。また、内筒部と外筒部とを別個に成形した後、接着又は融着等により一体とすることができる。また、内筒部とは別体となった外筒部を内筒部に取り付ける構成とすることもできる。このような構成とすることにより、外筒部を有していない雌コネクタと、外筒部を有している雌コネクタとを同一の設計とすることができる。
【００２７】
図３及び図４に示す第２変形例においては、側面開口部１２２を有する外筒部１０２Ｂが内筒部１０１に取り付けられている。内筒部１０１の基部側には、鍔状の凸部である内筒部係合部１１１が設けられており、外筒部１０２Ｂの基部側には内筒部係合部１１１と係合する外筒部係合部１２１が設けられている。外筒部係合部１２１は、基部側から平面視した場合にＣ字状である、内側に突出した鍔状であり、外筒部係合部１２１のカラー部２０２が挿入される開口部側の面には段差部１２３が設けられている。外筒部係合部１２１の内径は、内筒部１０１における内筒部係合部１１１よりも基部側の部分の外径と略一致しており、段差部１２３の内径は、内筒部係合部１１１の外径と略一致している。
【００２８】
外筒部１０２Ｂを内筒部１０１に取り付ける際は、まず、外筒部係合部１２１が内筒部係合部１１１よりも内筒部１０１の基部側に位置するようにして、側面開口部１２２側から外筒部１１２Ｂを内筒部１０１に押し当てる。内筒部１０１が側面開口部１２２を押し拡げて、外筒部１０２は、外筒部係合部１２１の内周面が内筒部１０１の外周面と当接し、段差部１２３が内筒部係合部１１１と当接する位置まで移動した後、側面開口部１２２が復元する。これにより、外筒部１０２Ｂは、内筒部１０１の周りに安定して固定される。なお、内筒部と外筒部を固定するための手段として、別の固定手段を採用してもよい。また、内筒部係合部１１１と外筒部係合部１２１との摩擦を大きくし、外筒部１０２Ｂが内筒部１０１の周りを回転しない又は大きな力を加えないと回転しないようにすることが好ましい。また、廻り止めの機構を設けることもできる。但し、外筒部１０２Ｂが抜け落ちなければ、自由に回転する状態であってもよい。
【００２９】
外筒部１０２Ｂの一部が扇形状に切りかかれた側面開口部１２２は、切り欠かれた部分の中心角が１２０°未満であれば、好適に外筒部係合部１２１と内筒部係合部１１１とを係合させることができるが、外筒部１０２Ｂを外れにくくする観点及びカラー部２０２をガイドする観点からは、好ましくは中心角が９０°以上である。
【００３０】
図５に示す第３変形例のように、半筒状の２つの半筒状部材１２５と半筒状部材１２６とが組み立てられた外筒部１０２Ｃとすることもできる。このようにすれば、力により押し込むことなく、外筒部係合部１２１を内筒部係合部１１１に係合させることができ、外筒部１０２の取り付けが容易となる。図５においては、半筒状部材１２５と半筒状部材１２６とに互いに係合する凹凸を設けた例を示したが、このような方法に限らず、２つの半筒状部材同士を組み立てられればどのようにしてもよい。例えば、接着剤等により２つの半筒状部材同士を接続してもよい。また、２つの半筒状部材がヒンジ部により接続された構成とすることもできる。また、３つ以上の部材を組み立てて外筒部１０２を形成してもよい。
【００３１】
図５には、半筒状部材１２５と半筒状部材１２６とを組み立てた際に、内筒部１０１の全周を囲む鍔状となる外筒部係合部１２１が形成される構成を示した。しかし、外筒部係合部１２１を全周に亘る鍔状ではなく、２箇所以上、好ましくは３箇所以上に設けられた凸部とすることもできる。
【００３２】
図６に示す第４変形例のように、外筒部係合部１２１が内筒部係合部１１１を軸方向に基部側へ乗り越える構成の外筒部１０２Ｄとすることもできる。図６において、内筒部係合部１１１は、内筒部１０１の基部側に向かって次第に外径が大きくなるような傾斜面を有しており、外筒部係合部１２１は、基部側に向かって次第に内径が大きくなるような傾斜面を有している。また、外筒部係合部１２１は、弾性変形して拡径するような厚さに成形されている。外筒部係合部１２１を内筒部係合部１１１に押し当てることにより斜面同士が当接するので、外筒部係合部１２１は容易に弾性変形して拡径し、内筒部係合部１１１を乗り越えることができるので、内筒部係合部１１１と外筒部係合部１２１とが係合し、外筒部１０２Ｄを内筒部１０１に容易に取り付けることができる。一方、反対方向には外筒部係合部１２１が内筒部係合部１１１を乗り越えにくいので、外筒部１０２を外れにくくすることができる。
【００３３】
内筒部係合部１１１及び外筒部係合部１２１の双方に互いに対向する斜面を設けることにより、外筒部１０２Ｄの内筒部１０１への取り付けを容易にすると共に、外筒部１０２Ｄを外れにくくすることができる。但し、外筒部係合部１２１が内筒部係合部１１１を乗り越えることができればよく、内筒部係合部１１１及び外筒部係合部１２１の一方にのみ斜面を設けたり、両方に斜面が設けられていない構成としたりすることもできる。また、内筒部係合部１１１及び外筒部係合部１２１の一方が全周に亘る鍔状に設けられていれば、他方は２箇所以上、好ましくは３箇所以上に設けられた凸部とすることもできる。なお、凸部は、周上に等間隔に設けられていることが好ましい。なお、外筒部を内筒部側に軸方向に押し込むことで係合するのではなく、外筒部を内筒部に対して回転させることにより外筒部と内筒部が固定されるようにすることもできる。
【００３４】
本実施形態及び各変形例において、内筒部１０１がカラー部２０２の内面に設けられたねじ山２０３と係合しない例を示したが、内筒部１０１にカラー部２０２の内面に設けられたねじ山２０３と係合するねじ山を設けることもできる。また、雄コネクタ２００をカラー部２０２の内面にねじ山が形成されていない、スリップタイプの雄コネクタとすることもできる。雄コネクタのカラーには雌コネクタとの係合を目的としたものではなく、外筒部と係合することを目的とした壁も含まれる。例えば、２０２の外側に外筒部と係合することを目的とした別部材を設けてもよく、また、カラーの形状は環状でなくてもよい。
【００３５】
本実施形態及び各変形例の外筒部を有する雌コネクタは、神経麻酔用途に用いられる種々の医療機器のコネクタとして用いることができる。例えば、本実施形態及び各変形例の外筒部を有する雌コネクタは、図７に示すような、バルーン３１２がハウジング３１１内に収容されたバルーンポンプ３０１の薬剤注入ポート３１３として用いることができる。バルーンポンプ３０１は、薬剤が充填されたバルーン３１２の収縮圧により薬剤を徐々に放出することができる。薬剤は、薬剤注入ポート３１３に注射器を接続し、バルーン３１２内に充填する。バルーンを用いたポンプに限らず、硬膜外麻酔に用いられる薬剤注入装置は、薬剤を自動的に排出するための機構を有しており、薬剤が充填される前の状態に自動的に復帰するような力が作用している。このような薬剤注入装置の中に薬剤を充填する際には、注射器のプランジャーに大きな力を加える必要があり、注射器を下にして上から押さえつける等して、内部に薬剤を充填する。このため、薬剤注入装置の中に薬剤を充填する際に、薬剤注入ポート３１３に接続された注射器が大きくぶれるおそれがある。特に懸念される具体例として、硬膜外麻酔に用いられる薬剤注入装置への薬剤を充填する際の不具合を記載したが、コネクタである以上、その他の接続にも用いられ、その形状故に、接続時にコネクタが折れ曲がりやすく、使用者はその点を注意して使用しなければならない。このため、薬剤注入ポートとして外筒部を有していないＩＳＯ８０３６９−６に準拠した雌コネクタが設けられている場合、薬剤注入装置への接続時に限らず、コネクタが破損するおそれがある。一方、本実施形態及び各変形例の外筒部を有する雌コネクタであれば、雄コネクタ２００の軸が、雌コネクタ１００の軸に対して傾く方向に力が加わった場合に、雄コネクタのカラー部が外筒部に当接するため、内筒部が破損しにくく、従来と同等の操作性を確保することができる。
【００３６】
図７に示すように、内筒部を有するポートと隣接して別のポートが配置されている構成の場合、図８〜図１０に示す第５変形例のような着脱式の保護部３３０を有する雌コネクタとすることができる。図８〜図１０に示すポート構造は、ポートベース３２５に雄コネクタのプラグ部を受け入れる内筒部３２１を有する第１ポート部とポートベース３２５から突出していない第２ポート部３２２とが間隔をおいて配置されている。保護部３３０は、内筒部３２１を囲む第１枠部３３１と、第２ポート部３２２を囲む第２枠部３３２とを有している。第１枠部３３１と第２枠部３３２とを合わせた外形は、平面視において長円形状となっている。第１枠部３３１と第２枠部３３２との境界部には、内側に突出した突起部３３３が設けられており、第１枠部３３１及び第２枠部３３２の内側の部分は、通路３５３により接続された第１部分３５１と第２部分３５２とに分割されている。第１枠部３３１と突起部３３３とは、内筒部３２１を囲む外筒部となる。
【００３７】
内筒部３２１の基部には、鍔部３２７が設けられており、鍔部３２７とポートベース３２５との間は、内筒部係合部３２６となっている。第１枠部３３１の基部には、平面視においてＣ字状の外筒部係合部３３６が設けられている。外筒部係合部３３６は、内筒部係合部３２６と嵌合できるように、その内径は、内筒部係合部３２６の外径とほぼ一致しており、その高さは、ポートベース３２５から鍔部３２７までの高さとほぼ一致している。
【００３８】
保護部３３０を取り付ける場合、まず内筒部３２１を第２部分３５２に合わせて、保護部３３０の底面をポートベース３２５に当接させる。次に、保護部３３０をスライドさせると、内筒部３２１が側面開口部に相当する通路３５３を通過して、第１部分３５１側に移動する。また、Ｃ字状に形成された外筒部係合部３３６が内筒部係合部３２６と係合する。
【００３９】
外筒部係合部３３６と内筒部係合部３２６とが係合した状態において、第１枠部３３１と内筒部３２１との間には、雄コネクタのカラー部が挿入されるカラー部挿入凹部３３４が形成される。第２枠部３３２を第１枠部３３１よりも低くすることにより、第２ポート部３２２へのアクセスが容易となるが、第２枠部３３２と第１枠部３３１とが同じ高さであってもよい。
【００４０】
第１部分３５１と第２部分３５２との間に設けられた通路３５３の幅Ｗ1を、内筒部３２１の外径よりも大きくすれば、容易にスライドさせることができる。但し、幅Ｗ1が内筒部３２１の外径よりも僅かに小さく、突起部３３３が弾性変形して内筒部３２１が第１部分３５１側へ通り抜けられるようにすることもできる。通路３５３を形成するために切り欠かれている部分が、第１部分３５１の外縁全周の１／２未満であれば、雄コネクタのカラー部が第２部分３５２側に倒れないようにガイドすることができるが、カラー部をより確実にガイドする観点からは、好ましくは外縁全周の１／３以下であり、保護部３３０の取り付けを容易にする観点から、好ましくは外縁全周の１／８以上である。なお、突起部３３３は、保護部３３０をスライドさせることができるように鍔部３２７と干渉しない位置に設ける。
【００４１】
本変形例の保護部３３０は、外周下端部にポートベース３２５を両側から挟むガイド部３３５が設けられており、保護部３３０をポートベース３２５に沿って容易に平行にスライドさせることができる。但し、ガイド部３３５は必要に応じて設ければよく、設けなくてもよい。なお、第２ポート部３２２は、第２枠部３３２に切り欠き等を設ければ、ポートベース３２５から突出している構成とすることもできる。
【００４２】
図１１〜図１４に示す第６変形例のようにすることもできる。雌コネクタの第６変形例において、保護部４３０は、側壁４４１の一部が切り欠かれた側面開口部４４１ａを有する主筒部４３１と、側面開口部４４１ａを補完するように主筒部４３１と連結された連結部４３２とを有している。
【００４３】
主筒部４３１の側壁４４１は、側面開口部４４１ａが形成された平面略Ｃ字状である。側壁４４１の基部には、外筒部係合部４３６となる第１係合部４３６Ａが設けられている。側壁４４１は、側面開口部４４１ａ側において他の部分より肉厚に成形されている。また、肉厚に成形された部分には、連結部４３２を連結するための一対の連結ピラー４４３が設けられている。
【００４４】
連結部４３２は、壁部４５１と、壁部４５１の基部に設けられ、第１係合部４３６Ａと共に外筒部係合部４３６を形成する第２係合部４３６Ｂと、壁部４５１の両側方に設けられ、主筒部４３１の連結ピラー４４３が挿入される連結凹部４５１ａを形成するロックアーム４５３とを有している。連結ピラー４４３にはロック突起４４３ａが設けられ、ロックアーム４５３にはロック突起４４３ａを受け入れるロック孔４５３ａが設けられている。
【００４５】
図１４は、保護部４３０を内筒部４２１に取り付けた状態を示している。保護部４３０を内筒部４２１に取り付ける場合、まず、主筒部４３１の側面開口部４４１ａを内筒部４２１に合わせて、主筒部４３１を側方からスライドさせ、略Ｃ字状の第１係合部４３６Ａを内筒部係合部４２６と係合させる。次に、連結凹部４５１ａを連結ピラー４４３に合わせて、連結部４３２を上方からスライドさせ、連結部４３２を主筒部４３１に連結させる。主筒部４３１に連結部４３２が連結されることにより、主筒部４３１の側面開口部４４１ａが塞がれ、主筒部４３１の側壁４４１と連結部４３２の壁部４５１とにより、内筒部４２１を囲む外筒部４３３が形成される。外筒部４３３の内側は、平面円形状のカラー部挿入凹部４３４となる。また、第２係合部４３６Ｂが第１係合部４３６Ａと共に内筒部係合部４２６を囲んで係合するため、保護部４３０は内筒部４２１にしっかりと取り付けられる。本変形例においては、主筒部４３１の第１係合部４３６Ａが段差部を有しており、この段差部が鍔部４２７と係合している。このため、保護部４３０が上方に抜けないようにすることができる。
【００４６】
本変形例の保護部４３０は、主筒部４３１の下端部にポートベース４２５を両側から挟むガイド部４３５が設けられており、主筒部４３１をポートベース４２５に沿って容易に平行にスライドさせることができる。また、ガイド部４３５は、保護部４３０の相対回転を防ぐ機能も有する。但し、ガイド部４３５は必要に応じて設ければよく、設けなくてもよい。
【００４７】
主筒部４３１の側面開口部４４１ａは、内筒部４２１が通過できるだけの幅があればよい。主筒部４３１の取り付けやすさの観点からは、外周の１／４以上が切り欠かれていることが好ましい。また、連結部４３２を連結させて組み立てる観点からは、切り欠かれている範囲は外周の１／２以下であることが好ましい。
【００４８】
本変形例において、カラー部挿入凹部４３４の内径は、内筒部４２１を保護する観点から、雄コネクタのカラー部の外径とできるだけ一致していることが好ましい。ＩＳＯ８０３６９−６に準拠する場合においても、カラー部の外径には幅があり、８．８５ｍｍ〜１１．５ｍｍ程度の範囲に分布しているため、種々の雄コネクタに対応できるように、カラー部挿入凹部４３４の内径を８．８５ｍｍ〜１３．５ｍｍとすることが好ましく、１１．５ｍｍ〜１２．８ｍｍとすることがより好ましい。
【００４９】
本変形例において、連結部４３２の壁部４５１は、主筒部４３１に連結された際に外筒部４３３の内側面となる面４５１Ａが、円筒状の内腔を形成する曲面となっているだけでなく、外側面となる面４５１Ｂも中央部が窪んだ曲面となっている。このような構成とすることにより、内筒部４２１に隣接して可撓性のチューブ４１４が配置されている場合に、チューブ４１４が保護部４３０によって圧迫されたり、損傷したり、キンクしたりする事態を生じにくくすることができる。
【００５０】
本変形例において、主筒部４３１には、内筒部４２１を覆うキャップ４６０が設けられている。キャップ４６０は、カラー部挿入凹部４３４を塞ぐキャップ本体４６１と、キャップ本体４６１と側壁４４１とを接続するヒンジ部４６２とを有している。
【００５１】
キャップ本体４６１は外縁部に、主筒部４３１の側壁４４１の上端部に設けられた薄肉部４４１ｂと係合するリム４６６を有している。また、中央部に内筒部４２１に内嵌する凸部４６７を有している。このため、指等が内筒部４２１に触れて汚染されたり、内筒部４２１内へほこり等が入ったりしないように保護することができる。キャップ本体４６１にはタブ４６８が設けられているため、キャップ本体４６１が内筒部４２１を覆った状態から、内筒部４２１が露出した状態への移行が容易にできる。
【００５２】
本変形例の保護部４３０は、キャップ本体４６１がヒンジ部４６２により主張部の側壁４４１と接続されているため、取り外したキャップ本体４６１を紛失するおそれがない。また、ヒンジ部４６２が板バネ部４６２Ａを有しているため、凸部４６７を内筒部４２１に内嵌させていない状態にすると、板バネ部４６２Ａによりキャップ本体４６１が自動的に大きく開いた状態になる。このため、雌コネクタに雄コネクタを接続する際に、キャップ４６０が邪魔にならないようにできる。
【００５３】
なお、本変形例において、キャップ４６０は、主筒部４３１と一体に形成されているが、連結部４３２と一体に形成することもできる。また、独立したキャップ４６０を形成して、これを主筒部４３１又は連結部４３２と接続したり、キャップ４６０が独立した状態のまま使用したりすることもできる。
【００５４】
本変形例においては、保護部４３０を内筒部４２１に取り付けた際に、外筒部４３３の上端が、内筒部４２１の上端よりも若干高い位置となるようにしている。これにより、キャップ本体４６１により、内筒部４２１を容易に覆うことができる。
【００５５】
内筒部４２１の保護の観点からは、外筒部４３３の上端ができるだけ高い位置にある方が好ましい。キャップ４６０の操作性の観点からは、外筒部４３３の上端と、内筒部４２１の上端との差をある程度小さくする方が好ましく、外筒部４３３の上端は、内筒部４２１の上端よりも、好ましくは０．５ｍｍ以上、より好ましくは１ｍｍ以上、好ましくは３ｍｍ以下、より好ましくは２ｍｍ以下の位置とすればよい。但し、キャップ本体４６１のリムの高さを高くすれば、外筒部４３３の上端を、内筒部４２１の上端よりも低い位置にすることもできる。また、キャップ４６０を設けない場合には、外筒部４３３の高さＬ２と内筒部４２１の高さＬ１とを図１に示すような関係を満たすようにすることができる。
【００５６】
他の実施形態及び変形例において示した外筒部にキャップを設けることもできる。この場合には、外筒部の上端が内筒部の上端よりも高い位置となるようにすることが好ましい。
【００５７】
また、本実施形態及び各変形例の外筒部を有する雌コネクタは、このような装置に限らず、三方活栓やチューブ等に使用したりすることができる。さらに、本実施形態及び各変形例の外筒部を有する雌コネクタに接続する雄コネクタは、注射器に設けられた雄コネクタに限らず、その他の医療機器及びチューブ等に設けられた雄コネクタとすることができる。
【００５８】
なお、本開示において、神経麻酔分野における相互接続防止コネクタに関する国際規格がＩＳＯ８０３６９−６であるとして説明したが、規格の改定等により当該規格に新たな番号が付与されたり、当該規格を包含する新たな規格が制定されたりした場合には、国際規格の番号は、新たな番号に読み替えられる。
【産業上の利用可能性】
【００５９】
本開示の雌コネクタは、新たな規格に対応し、且つ従来の操作方法を用いることができ、特に神経麻酔用途におけるコネクタ等として有用である。
【符号の説明】
【００６０】
１００      雌コネクタ
１０１      内筒部
１０２      外筒部
１０２Ａ    外筒部
１０２Ｂ    外筒部
１０２Ｃ    外筒部
１０２Ｄ    外筒部
１０３      カラー部挿入凹部
１０４      基部
１１１      内筒部係合部
１１２      外筒部
１２１      外筒部係合部
１２２      側面開口部
１２３      段差部
１２５      半筒状部材
１２６      半筒状部材
２００      雄コネクタ
２０１      プラグ部
２０２      カラー部
２０３      ねじ山
３０１      バルーンポンプ
３１１      ハウジング
３１２      バルーン
３１３      薬剤注入ポート
３２１      内筒部
３２２      第２ポート部
３２５      ポートベース
３２６      内筒部係合部
３２７      鍔部
３３０      保護部
３３１      第１枠部
３３２      第２枠部
３３３      突起部
３３４      カラー部挿入凹部
３３５      ガイド部
３３６      外筒部係合部
３５１      第１部分
３５２      第２部分
３５３      通路
４１４      チューブ
４２１      内筒部
４２５      ポートベース
４２６      内筒部係合部
４２７      鍔部
４３０      保護部
４３１      主筒部
４３２      連結部
４３３      外筒部
４３４      カラー部挿入凹部
４３５      ガイド部
４３６      外筒部係合部
４３６Ａ    第１係合部
４３６Ｂ    第２係合部
４３６Ｃ    突起
４４１      側壁
４４１ａ    側面開口部
４４１ｂ    薄肉部
４４３      連結ピラー
４４３ａ    ロック突起
４５１      壁部
４５１Ａ    内側面
４５１Ｂ    外側面
４５１ａ    連結凹部
４５３      ロックアーム
４５３ａ    ロック孔
４６０      キャップ
４６１      キャップ本体
４６２      ヒンジ部
４６２Ａ    板バネ部
４６６      リム
４６７      凸部
４６８      タブ
【図１】
2020080457.tif 000003
【図２】
2020080457.tif 000004
【図３】
2020080457.tif 000005
【図４】
2020080457.tif 000006
【図５】
2020080457.tif 000007
【図６】
2020080457.tif 000008
【図７】
2020080457.tif 000009
【図８】
2020080457.tif 000010
【図９】
2020080457.tif 000011
【図１０】
2020080457.tif 000012
【図１１】
2020080457.tif 000013
【図１２】
2020080457.tif 000014
【図１３】
2020080457.tif 000015
【図１４】
2020080457.tif 000016
【国際調査報告】
2020080457.tif 000017
2020080457.tif 000018
2020080457.tif 000019
2020080457.tif 000020